(57)【要約】【課題】ポンプ装置を備えた吐出容器から内容液を種々の量で定量吐出させられるようにする。【解決手段】吐出容器１が、容器本体２と、容器本体２の口部に取り付けられるポンプ装置１０を有する。ポンプ装置１０は、吐出口１１を有するポンプヘッド１２、ポンプヘッド１２から容器本体内に垂下するステム１３、ポンプヘッド１２を上下させることにより、容器本体２内の内容液を、ステム１３を通して吐出口１１から吐出させるポンプ機構１４、及びステム１３に着脱自在に取り付けられてポンプヘッド１２の上下の移動距離を規制する複数個の吐出量調整具２０を備える。各吐出量調整具２０の上下方向の高さＨは等しい。【選択図】図１
2009298422.tif 000002
【特許請求の範囲】
【請求項１】
容器本体と、容器本体の口部に取り付けられるポンプ装置を有する吐出容器であって、
ポンプ装置が、吐出口を有するポンプヘッド、ポンプヘッドから容器本体内に垂下するステム、ポンプヘッドを上下させることにより、容器本体内の内容液を、ステムを通して吐出口から吐出させるポンプ機構、及びステムに着脱自在に取り付けられてポンプヘッドの上下の移動距離を規制する複数個の吐出量調整具を備え、各吐出量調整具の上下方向の高さが等しい吐出容器。
【請求項２】
吐出量調整具の上下方向の高さが、吐出量調整具を取り付けない場合のポンプヘッドの上下の移動距離の整数分の一である請求項１記載の吐出容器。
【請求項３】
各吐出量調整具が、紐状部材で連結されている請求項１又は２記載の吐出容器。
【請求項４】
吐出量調整具が、側面にスリットを有する円筒形状である請求項１〜３のいずれかに記載の吐出容器。
【請求項５】
容器本体の口部にポンプ装置が取り付けられ、ポンプ装置のポンプヘッドを上下させることにより容器本体内の内容液をステムを通してポンプヘッドの吐出口から所定量吐出させる定量吐出方法であって、ポンプヘッドの上下の移動距離を規制する吐出量調整具を、吐出させる内容液の量に応じた個数でポンプ装置のステムに嵌める定量吐出方法。
【発明の詳細な説明】
【技術分野】
【０００１】
本発明は、ポンプ装置により、吐出量を変えて定量吐出させることのできる吐出容器に関する。
【背景技術】
【０００２】
従来、住宅用洗剤、衣料用洗剤、食器用洗剤等のように、使用に際して所定倍率に希釈することが必要とされる液剤の吐出容器として、ポンプヘッドを押し込むことにより内溶液を定量吐出させるポンプ容器が使用されている。
【０００３】
このようなポンプ容器としては、ポンプ装置にストローク規制部材を用意し、ストローク規制部材をポンプ装置に取り付けた場合と取り外した場合の２通りの量で定量吐出を行えるようにすることが知られている（特許文献１）
【特許文献１】実用新案登録２５６３０８３号公報
【発明の開示】
【発明が解決しようとする課題】
【０００４】
しかしながら、例えば、液体洗剤を所定量吐出させて希釈して使用する場合に、吐出させるべき量は、液体洗剤の種類や用途によって異なり、さらに同一種類、同一用途であっても、当該液体洗剤のメーカーごとに適正量が異なる。
【０００５】
そのため、吐出量を２通りに変更できるだけでは、実使用での要請に対応させることができないという問題があった。
【０００６】
これに対し、本発明は、ポンプ装置を備えた吐出容器から内容液を種々の量で定量吐出させられるようにすることを目的とする。
【課題を解決するための手段】
【０００７】
上述の目的を達成するため、本発明は、容器本体と、容器本体の口部に取り付けられるポンプ装置を有する吐出容器であって、
ポンプ装置が、吐出口を有するポンプヘッド、ポンプヘッドから容器本体内に垂下するステム、ポンプヘッドを上下させることにより、容器本体内の内容液を、ステムを通して吐出口から吐出させるポンプ機構、及びステムに着脱自在に取り付けられてポンプヘッドの上下の移動距離を規制する複数個の吐出量調整具を備え、各吐出量調整具の上下方向の高さが等しい吐出容器を提供する。
【０００８】
また、本発明は、容器本体の口部にポンプ装置が取り付けられ、ポンプ装置のポンプヘッドを上下させることにより容器本体内の内容液をステムを通してポンプヘッドの吐出口から所定量吐出させる定量吐出方法であって、ポンプヘッドの上下の移動距離を規制する吐出量調整具を、吐出させる内容液の量に応じた個数でポンプ装置のステムに嵌める定量吐出方法を提供する。
【発明の効果】
【０００９】
本発明の吐出容器によれば、ポンプ装置のステムに着脱自在に取り付けることによりポンプヘッドの上下の移動距離を規制する吐出量調整具を複数個備えているので、ステムに取り付ける吐出量調整具の個数を、吐出させたい量に応じて適宜定めることにより、種々の吐出量で内溶液を定量吐出させることができる。
【００１０】
この場合、複数個の吐出量調整具は上下方向の高さが等しいから、上下方向の高さが異なる吐出量調整具をポンプ装置に備える場合に比して、吐出量調整具の製造金型等にかけるコストを削減することができ、また、この吐出容器の使用者は、吐出量に応じた吐出量調整具のステムへの取り付け個数を、極めて容易に理解することができる。
【発明を実施するための最良の形態】
【００１１】
以下、図面を参照しつつ、本発明を具体的に説明する。なお、各図中、同一符号は、同一又は同等の構成要素を表している。図１は、本発明の一実施例の吐出容器１の側面図である。
【００１２】
この吐出容器１は、容器本体２と、容器本体２の口部に取り付けられるポンプ装置１０を有している。ポンプ装置１０は、吐出口１１を有するポンプヘッド１２と、ポンプヘッド１２から容器本体２内に垂下するステム１３と、ポンプ機構１４を有している。ポンプ機構１４としては、シリンダ、ピストン及び逆止弁からなる公知のものを設けることができ、ポンプヘッド１２の押し込みとその解除によってポンプヘッド１２を上下させることで、容器本体２内の内容液が、ステム１３を通して吐出口１１から吐出する。
【００１３】
この吐出操作において、ポンプヘッド１２は、それを押し込まない状態（図１（ａ））から、それ以上押し込めない状態（図１（ｂ））まで押し込まれることにより、移動し得る最大距離Ｌ0を移動し、その移動により、一度のポンプヘッド１２の押し込みで吐出し得る最大吐出量Ｖ0の内容液が吐出する。
【００１４】
一方、この吐出容器１は、複数個の吐出量調整具２０を備えている。この吐出量調整具２０は、ステム１３に着脱自在に取り付けることにより、ポンプヘッド１２の上下の移動距離を規制することで吐出量を調整する。
【００１５】
図４は、本発明の吐出容器で使用する吐出量調整具２０の一例の斜視図（ａ）と上面図（ｂ）である。
【００１６】
この吐出量調整具２０は、側面にスリット２１を有する円筒形状をしており、その内径ｒ0は、ステム１３の外径Ｌ1よりもやや小さく、スリット２１の開口幅Ｗもステム１３の外径Ｌ1より小さい。そのため、吐出量調整具２０を、スリット２１側からステム１３に押しつけると、吐出量調整具２０はステム１３に嵌着し、吐出量調整具２０の高さＨの分だけポンプヘッド１２の上下の移動を規制し、吐出量を減少させる。
【００１７】
また、吐出量調整具２０の外径ｒ1は、ポンプヘッド１２のステム１３との接合部の外径Ｌ2よりもやや小さい。
【００１８】
ここで、この吐出容器１が備える複数の吐出量調整具２０の高さＨは全て等しい。したがって、吐出量調整具２０をステム１３に嵌めた個数に応じて、ポンプヘッド１２の上下の移動距離が短くなり、一度の押し込みで吐出する量が減少する。よって、吐出容器１の使用者は、一度の押し込みで吐出させたい量に応じてステム１３に嵌めるべき吐出量調整具２０の個数が容易にわかり、その個数の吐出量調整具２０をステム１３に嵌めることにより、容易に所望量で内容液を定量吐出させることが可能となる。特に、吐出量調整具２０の高さＨが、ポンプヘッド１２が移動し得る最大距離Ｌ0の整数分の一の場合には、ステム１３に嵌めるべき吐出量調整具２０の個数が視覚的にも簡単に判断できるようになる。
【００１９】
なお、本発明の吐出容器の使用方法としては、一度の押し込みで必要な吐出量を吐出させるだけでなく、吐出量調整具２０のステム１３への取り付け数を変え、ポンプヘッド１２の押し込みを複数回行うことにより、任意の量で内溶液を定量吐出させても良い。
【００２０】
例えば、吐出量調整具２０を全く使用しない状態で、ポンプヘッド１２を押し込まない状態から押し込んだ状態への移動距離Ｌ0が６０ｍｍで、この距離Ｌ0の押し込みにより内容液２５ｍＬが吐出し、また、吐出量調整具２０の高さＨが距離Ｌ0の１／５の１２ｍｍで、５ｍＬの吐出量に対応する場合に、一度の押し込みで２０ｍＬを吐出させるときには、図２（ａ）に示すように、吐出量調整具２０を一個だけステム１３に嵌着させればよい。それにより、同図（ｂ）のように、ポンプヘッド１２は、吐出量調整具２０の１個分の高さＨ（５ｍＬ）の移動が規制され、２０ｍＬを定量吐出させることが可能となる。
【００２１】
これに対し、一度の押し込みで５ｍＬ吐出させるときには、図３に示すように、吐出量調整具２０をステム１３に４個嵌着させる（同図（ａ））。これにより同図（ｂ）に示すように、ポンプヘッド１２は、吐出量調整具２０の４個分の高さの移動が規制され、５ｍＬを定量吐出させることが可能となる。
【００２２】
また、例えば、吐出量調整具２０を一個だけステム１３に取り付けて２０ｍＬを吐出させ、さらに一個の吐出量調整具２０をステム１３に取り付けて１５ｍＬ吐出させることにより、合計３５ｍＬを吐出させることができる。こうして、吐出量調整具２０の使用個数とポンプヘッド１２の押し込み回数を適宜定めることにより任意の吐出量で定量吐出させることが可能となり、これにより、例えば、１００〜１０００ｍＬの大容量の吐出容器において、５〜１００ｍＬの吐出量で定量吐出させることが可能となる。
【００２３】
本発明においては、ステム１３に嵌着していない吐出量調整具２０が紛失しないように、図５に示すように、吐出量調整具２０を互いに紐状部材２２で連結してもよく、図６に示すように、吐出量調整具２０が嵌着できるリブ３を容器本体の外表面に設け、そこで吐出量調整具２０を保持できるようにしてもよい。
【産業上の利用可能性】
【００２４】
本発明の吐出容器は、住宅用洗剤、衣料用洗剤、食器用洗剤等の、特に所定倍率に希釈して使用するために定量吐出が必要とされる種々の液剤の定量吐出容器として有用であり、また、大容量のポンプディスペンサーとして有用である。
【図面の簡単な説明】
【００２５】
【図１】吐出容器の側面図である。
【図２】吐出容器の側面図である。
【図３】吐出容器の側面図である。
【図４】吐出量調整具の斜視図（ａ）及び上面図（ｂ）である。
【図５】複数の吐出量調整具の連結状態の斜視図である。
【図６】吐出容器の側面図である。
【符号の説明】
【００２６】
１    吐出容器
２    容器本体
３    リブ
１０    ポンプ装置
１１    吐出口
１２    ポンプヘッド
１３    ステム
１４    ポンプ機構
２０    吐出量調整具
２１    スリット
２２    紐状部材
【図１】
2009298422.tif 000003
【図２】
2009298422.tif 000004
【図３】
2009298422.tif 000005
【図４】
2009298422.tif 000006
【図５】
2009298422.tif 000007
【図６】
2009298422.tif 000008